(57)【要約】【課題】従来のとうもろこし粒剥離器は、とうもろこし粒をほぼ完全な形で茎より剥離する上で問題があった。さらに剥離のために、かなりの力を必要とし、そのため手元が不安定になり、安全性に問題を生じる場合があった。【解決手段】とうもろこし粒列を２枚のガイド板で保持できるようにして本発明を操作するための安定性を高めた。また、粒を剥離する２枚の刃を開脚形に対向させ、粒が刃間を通過する間に切断剥離できるようにした。また、隣接する粒列を傷つけることなく、わずかな力ですばやく粒を切断剥離できるようにした。【選択図】図１
2007068937.tif 000002
【特許請求の範囲】
【請求項１】
終端に連結点（６）を設け、それより前方へ長三角形に開いた切れ目（２）を有し、連結点（６）を支点として切れ目（２）を開閉自在とした土台（１）を設け、わずかな柔軟性を有し湾曲した板状体の取っ手（５）の両端を土台（１）の左右端にそれぞれ固着させ、開脚形に向き合わせた一対の長三角形の刃先（４）を、刃基部（３）を介して土台（１）の裏面に固着してなる、とうもろこし粒剥離器。
【発明の詳細な説明】
【技術分野】
【０００１】  本発明は、とうもろこし粒を切断剥離するとうもろこし粒剥離器に関する。
【背景技術】
【０００２】  従来の家庭用とうもろこし粒剥離器には、とうもろこしの茎に斜めに刃をつけた又は刃をつけない紙状体を巻きつけてとうもろこし粒を螺旋状に切り取るものがある（例えば、特許文献１参照。）。
また、樋形のスプーンの先端をＶ字形にして刃をつけ、とうもろこし粒の根に差し込んで繊維を切断するものもある。これは剥離した粒をそのまま刃とつながったスプーン部に転がして食するものである（例えば、特許文献２参照。）。【０００３】
【特許文献１】特許公開２００４−２７５２４４
【特許文献２】実用新案公開平７−９１８０
【発明の開示】
【発明が解決しようとする課題】
【０００４】  以上に述べた従来のとうもろこし粒剥離機能を有する器具は、粒の剥離と分離にかなりの力を必要とし、使用中に隣接の粒を傷つけやすく、全粒を丸ごときれいに剥離するのは難しく、また使用上の安定性に不安を覚えるものだった。【０００５】  本発明のとうもろこし粒剥離器は、このような従来の機能が有していた問題を解決しようとするものであり、大きな力を必要とせずに、また剥離する粒をほとんど傷つけることなく、速やかにとうもろこし粒を剥離できる器具を実現することを目的とするものである。
【課題を解決するための手段】
【０００６】  そして、本発明のとうもろこし粒剥離器は上記目的を達成するために、以下のような構造を有するものである。すなわち、終端に連結点（６）を設け、それより前方へ長三角形に開いた切れ目（２）を有し、連結点（６）を支点として切れ目（２）を開閉自在とした土台（１）を設け、わずかな柔軟性を有し湾曲した板状体の取っ手（５）の両端を土台（１）の左右端にそれぞれ固着させ、開脚形に向き合わせた一対の長三角形の刃先（４）を、刃基部（３）を介して土台（１）の裏面に固着してなる、とうもろこし粒剥離器である。【０００７】  このように、本発明のとうもろこし粒剥離器においては、切れ目（２）の左・右それぞれの刃先・刃基部・土台・取っ手が一体化しているため、取っ手を握る力を強めると刃基部の先端の間隔をわずかに狭めることができる。握る手を緩めると取っ手と切れ目は元の位置に戻る。【０００８】  連結点（６）を土台の中央付近に設け、そこから前方・後方へ向けて切れ目をそれぞれ設けることもできる。この場合は、取っ手の前方を握れば刃基部の先端の間隔が縮まり、後方を握れば間隔が開く。【０００９】  刃先（３）は前方へ開脚した形で刃基部と一体化させる。正面図で見た刃先と刃基部がなす形によって剥離された粒の形状は変る。粒の根部からきれいに剥離するには中ほどが膨らんだ円錐形がふさわしい。使用上の安全性を考慮すれば、刃先は下方を向かずに水平方向で対向する形がよい。使用者の指が刃先に触れずに済むからである。【００１０】  刃基部の先端は、大きめのとうもろこし粒を受け入れる大きさに開いて土台（１）の裏面に固着ないしは一体化させる。土台は取っ手の前縁より張り出し、さらに刃基部先端は土台より張り出すように製作する。
刃基部（３）の先端に近い部分に、たてに折り目をつけてもよい。【００１１】  上記の課題解決手段による作用は次のとおりである。すなわち、刃基部（３）の先端を先頭のとうもろこし粒にあてがって粒列の間の溝に軽く食い込ませる。そして、茎の末尾の方向へ本発明のとうもろこし粒剥離器を押し進めると、粒列の間を分け入った刃基部の先端は本発明の前進操作を正しくガイドするガイド板となり前進の安定化に役立つ。取っ手の前縁より土台の前縁が先行し、さらに刃基部の先端が先行するので、操作者には刃基部の先端がとうもろこし粒を正しくとらえているかどうかが確認できる。前進に伴って粒に左右から当たる刃先の水平距離が次第に狭まっていき、遂には粒の根元が茎から切断剥離される。切断剥離された粒は、刃先・刃基部・土台裏面で形成するトンネルの後部から外部へ放出されていく。【００１２】  一般にとうもろこしの先頭の粒は２番目の粒よりサイズが小さい。２つの刃基部の間隔を２番目のサイズに合わせて製作してあると、最初は取っ手を握る力を強めて刃基部の間隔を狭め、２番目の粒に移るときに取っ手を握る手を緩めれば、取っ手の弾性によって刃基部の間隔は広がり粒の大きさに合致する。さらに進んで茎の中ほどに至ったときには粒の大きさが小さくなるので、取っ手を握る力を強めて刃基部の間隔を狭める。１列が終わり次の列に移るときには同様の操作を繰り返せばよい。
刃基部の先端を刃付けしていないので、進行中に隣の列の粒を傷つけるおそれがない。刃基部の先端付近にたてに折り目をつけていれば、刃基部の方向や間隔がより調整しやすくなる。【００１３】  平面図で見るように、２つの刃先は先頭部分が開いていて後部へいくに従って刃先の間が狭まる。この間を通る粒に対しては、包丁を斜めに使って食材を切るのと同様の切断効果を発揮する。そのため、わずかな力でとうもろこし粒を切断剥離できる。【００１４】  上述したように、本発明のとうもろこし粒剥離器は、一度の操作で一つの粒列を剥離分離する設計思想に基づくものであるから、一度に一列の粒を剥離分離することを繰り返せば、一本の茎を丸ごと本発明のとうもろこし粒剥離器で処理できる。一列おきに本発明で剥離したあと、残りの列を手指で剥離してもよい。また、一列だけに本発明を使用し、残りの列を手指で剥離してもよい。剥離した粒をスプーンで食するか、茎に残った粒を手指でむきながら食するかは、個人の好みが分かれるところであるが、本発明のとうもろこし粒剥離器は、そのいずれにも自由に対応できるものである。
【発明の効果】
【００１５】  本発明を使用してとうもろこしの粒を剥離すれば、一列のとうもろこし粒をわずかな力ですばやく安定性をもって、とうもろこし粒を丸ごときれいに剥離でき、隣接する列の粒を傷つけるおそれが極めて少ないという利点が得られる。
【発明を実施するための最良の形態】  以下、本発明の実施の形態を図１〜図８に基づいて説明する。
【実施例１】
【００１６】  図においては、５は使用に当たって本発明を保持するための取っ手であり、１は取っ手の左右端を固着させ、２の切れ目を有し、その裏面に３の刃基部を固着させるための土台である。４は刃先であり刃基部に固着ないし一体に形成されるものである。【００１７】  ６は左右に二分する寸前の土台を、この１点で連結するものであり、取っ手を握る力によって刃基部の先端が開閉する際の支点となる。１００はとうもろこし粒である。【００１８】  以下、上記構成の動作を説明する。取っ手の片側・土台の片側・片側の刃基部・片側の刃先は固着・一体化しているため、連結点が土台の終端にある場合は取っ手を握る力を変えると、刃基部の先端を開閉できる。また、連結点が土台の中央付近にある場合は、取っ手の前部または後部を握る力を変えると、刃基部の先端を開閉できる。【００１９】  図８（ａ）は刃基部先端をとうもろこし粒列の先頭に当てているところであり図８（ｂ）のように押し進めると、とうもろこし粒の足部は刃先が進むにつれて次第に両側からの切込みを深く受けるようになり、図８（ｃ）では２粒が剥離され放出される状態にある。
【図面の簡単な説明】
【００２０】
【図１】  本発明の外観図
【図２】  同取っ手を透視した外観図
【図３】  同土台の裏面図
【図４】  同刃先と刃基部のみの外観図
【図５】  同正面図
【図６】  同刃先と刃基部の平面図
【図７】  同とうもろこし粒と刃先・刃基部
【図８】  同刃先・刃基部の進行に伴うとうもろこし粒の剥離過程
【符号の説明】
【００２１】１      土台
２      切れ目
３      刃基部
４      刃先
５      取っ手
６      連結点
１００  とうもろこし粒
【図１】
2007068937.tif 000003
【図２】
2007068937.tif 000004
【図３】
2007068937.tif 000005
【図４】
2007068937.tif 000006
【図５】
2007068937.tif 000007
【図６】
2007068937.tif 000008
【図７】
2007068937.tif 000009
【図８】
2007068937.tif 000010